(57)【特許請求の範囲】
【請求項１】
被写体の光学像を光電変換する撮像素子と、各種データを一時的に記憶する記憶装置と、
前記撮像素子から出力される画像データを一時的に前記記憶装置に記憶させるための一時記憶手段Ａと、
前記画像データを輝度信号に対応する成分と色差信号に対応する成分に分離する画像処理手段と、
前記輝度信号および前記色差信号を記録用として一時的に前記記憶装置に記憶させるための一時記憶手段Ｂと、
前記輝度信号および前記色差信号を表示用として一時的に前記記憶装置に記憶させるための一時記憶手段Ｃと、
Ｒｅａｄ／Ｗｒｉｔｅが同時に行うことができるラスタブロック変換用メモリを有し前記輝度信号および前記色差信号に対して符号化処理あるいは復号化処理を行なう符号化手段と、
前記符号化手段によって得られた符号化映像デ―タを所定の記録媒体に記録保持させる記録手段と、
前記一時記憶手段Ａ、前記一時記憶手段Ｂ、前記一時記憶手段Ｃ、前記符号化手段および前記記録手段の前記記憶装置へのアクセスを調停する調停手段とを有する画像処理装置であって、
前記ラスタブロック変換用メモリのアドレス制御をリングバッファとして構成し、前記記憶装置に記憶された輝度信号および色差信号を前記符号化手段で符号化処理を行った後前記記録手段により前記記録媒体に記録する場合、前記符号化手段が前記記憶装置にアクセスして輝度信号もしくは色差信号を読み出す際の１回のアクセス単位(ページ)が、ＪＰＥＧの１ＭＣＵ（Ｍｉｎｉｍｕｍ  Ｃｏｄｅｄ  Ｕｎｉｔ）を構成する水平画素数より多くなるように設定することにより、前記符号化手段がアクセスしたアドレスの１ＭＣＵを構成するに必要なデータを前記記憶装置から読み出す際に該アドレスの１ＭＣＵに隣接するＭＣＵのデータも含めて読み出し、それらの読み出した全てのデータ（イ）を前記ラスタブロック変換用メモリに格納しておき、前記ラスタブロック変換用メモリに格納したデータが符号化処理されることに伴いＭＣＵ単位でメモリに空き領域が生じるが、前記空き領域の合計が前記アクセス単位のデータを格納可能となったときに、前記符号化手段は前記記憶装置から前記データ（イ）の次ぎに続くＭＣＵを構成するデータを含む輝度信号もしくは色差信号の読み出しを行い、それらの読み出した全てのデータを前記ラスタブロック変換用メモリの前記空き領域に格納することを特徴とする画像処理装置。
【請求項２】
前記記憶装置に記憶された輝度信号及び色差信号を前記符号化手段で符号化処理を行った後前記記録手段により前記記録媒体に記録する場合、前記ラスタブロック変換用メモリがＭＣＵの２倍より小さいメモリ容量で構成され、前記ラスタブロック変換用メモリの前記空き領域が、前記アクセス単位（ページ）のデータの格納が可能な容量となったときに、前記空き領域がラスタブロック変換用メモリにおいて１ＭＣＵの輝度信号および色差信号の格納アドレスが連続していないアドレス配置であった場合、前記符号化手段は、前記ラスタブロック変換用メモリの格納アドレスを変えてＭＣＵ単位で輝度信号あるいは色差信号を格納し、前記ラスタブロック変換メモリからＭＣＵ単位で輝度信号あるいは色差信号を読み出す際に、１ＭＣＵの輝度信号および色差信号の格納アドレスが連続していない状態で配置された隣り合ったＭＣＵのデータを連続して読み出し可能とすることを特徴とする請求項１記載の画像処理装置。
【請求項３】
前記記録媒体に記録された圧縮画像データの輝度信号及び色差信号を再生し、前記符号化手段で復号化処理を行った後前記記憶装置に記録する場合、前記符号化手段が前記記憶装置に輝度信号もしくは色差信号を格納する際の1回の前記アクセス単位(ページ)が、ＪＰＥＧの１ＭＣＵを構成する水平画素数より多く、前記符号化手段が１ＭＣＵのデータを復号化処理中に出力するデータを前記ラスタブロック変換用メモリにて格納しておき、前記ラスタブロック変換用メモリに格納されたＭＣＵ単位の水平画素の合計が前記アクセス単位になると、前記符号化手段が前記記憶装置にアクセスを行うことを特徴とする請求項１または２記載の画像処理装置。
【請求項４】
前記記録媒体に記録された圧縮画像データの輝度信号及び色差信号を再生し、前記符号化手段で復号化処理を行った後前記記憶装置に記録する場合、前記ラスタブロック変換用メモリがＭＣＵの２倍より小さいメモリ容量で構成され、前記ラスタブロック変換用メモリに格納された輝度信号もしくは色差信号のＭＣＵ単位の水平画素の合計が前記アクセス単位（ページ）となった時に、前記記憶装置へのアクセスを行い、前記空き領域がラスタブロック変換用メモリにおいて１ＭＣＵの輝度信号および色差信号の格納アドレスが連続していないアドレス配置であった場合、前記符号化手段は、前記ラスタブロック変換用メモリの格納アドレスを変えて前記符号化手段から出力されるＭＣＵ単位の輝度信号もしくは色差信号を格納し、前記記憶装置にアクセスするため前記ラスタブロック変換メモリからアクセス単位で読み出す際に、１ＭＣＵの輝度信号および色差信号の格納アドレスが連続していない状態で配置された隣り合ったＭＣＵのデータを連続したデータとして読み出し可能とすることを特徴とする請求項３記載の画像処理装置。
【発明の詳細な説明】
【０００１】
【発明の属する技術分野】
本発明は、前記撮像素子により光電変換された映像信号を記録することが可能なデジタルスチルカメラもしくはデジタルビデオカメラに関する。
【０００２】
【従来の技術】
撮像素子から出力される画像データを、輝度信号・色差信号に分離してラインごとに一時的にＳＤＲＡＭなどの記憶装置へ格納する。
【０００３】
格納した画像データをJPEG規格に則ってラスタブロック変換する際、        数ライン分の容量を持つラスタブロック変換用メモリを必要としていた。
【０００４】
また、記憶装置から画像データを読み出してラスタブロック変換用メモリへ格納する処理と、     ラスタブロック変換用メモリで変換した画像データを読み出す処理が順次処理となっていた。
【０００５】
【発明が解決しようとする課題】
上記のような従来の画像処理装置では、回路規模が大きい、処理速度が遅いと言う欠点があった。
【０００６】
そこで、本発明はラスタブロック変換回路において、処理速度を落とさずにラスタブロック変換用メモリの容量が削減できる画像処理装置を提供する。
【０００７】
【課題を解決するための手段】
本発明は、上記の課題を解決するために次のような手段を講じた。
【０００８】
被写体の光学像を光電変換する撮像素子と、各種データを一時的に記憶する記憶装置と、前記撮像素子から出力される画像データを一時的に前記記憶装置に記憶させるための一時記憶手段Ａと、前記画像データを輝度信号に対応する成分と色差信号に対応する成分に分離する画像処理手段と、前記輝度信号および前記色差信号を記録用として一時的に前記記憶装置に記憶させるための一時記憶手段Ｂと、前記輝度信号および前記色差信号を表示用として一時的に前記記憶装置に記憶させるための一時記憶手段Ｃと、Ｒｅａｄ／Ｗｒｉｔｅが同時に行うことができるラスタブロック変換用メモリを有し前記輝度信号および前記色差信号に対して符号化処理あるいは復号化処理を行なう符号化手段と、前記符号化手段によって得られた符号化映像デ―タを所定の記録媒体に記録保持させる記録手段と、前記一時記憶手段Ａ、前記一時記憶手段Ｂ、前記一時記憶手段Ｃ、前記符号化手段および前記記録手段の前記記憶装置へのアクセスを調停する調停手段とを有する画像処理装置であって、前記ラスタブロック変換用メモリのアドレス制御をリングバッファとして構成し、前記記憶装置に記憶された輝度信号および色差信号を前記符号化手段で符号化処理を行った後前記記録手段により前記記録媒体に記録する場合、前記符号化手段が前記記憶装置にアクセスして輝度信号もしくは色差信号を読み出す際の１回のアクセス単位(ページ)が、ＪＰＥＧの１ＭＣＵ（Ｍｉｎｉｍｕｍ  Ｃｏｄｅｄ  Ｕｎｉｔ）を構成する水平画素数より多くなるように設定することにより、前記符号化手段がアクセスしたアドレスの１ＭＣＵを構成するに必要なデータを前記記憶装置から読み出す際に該アドレスの１ＭＣＵに隣接するＭＣＵのデータも含めて読み出し、それらの読み出した全てのデータ（イ）を前記ラスタブロック変換用メモリに格納しておき、前記ラスタブロック変換用メモリに格納したデータが符号化処理されることに伴いＭＣＵ単位でメモリに空き領域が生じるが、前記空き領域の合計が前記アクセス単位のデータを格納可能となったときに、前記符号化手段は前記記憶装置から前記データ（イ）の次ぎに続くＭＣＵを構成するデータを含む輝度信号もしくは色差信号の読み出しを行い、それらの読み出した全てのデータを前記ラスタブロック変換用メモリの前記空き領域に格納することを特徴とする。
【０００９】
Read/Writeが同時に行える前記ラスタブロック変換用メモリを使用し、前記ラスタブロック変換用メモリのアドレス制御をリングバッファ状構成とすることで、前記ラスタブロック変換用メモリからブロック順でデータを読み出し終えたアドレスに、前記記憶装置から次に読み出したデータを格納することが出来、メモリ容量を減らすことが可能となる。
【００１０】
また、前記記憶装置から画像データを読み出す際、前記記憶装置にアクセスしたアドレスのＭＣＵを構成するのに必要なデータ以外の隣接するＭＣＵのデータも含めた、全てのデータを前記ラスタブロック変換用メモリで保持することで、記憶装置へのアクセス頻度を最小限にし、処理時間の増加を抑えることが可能となる。
【００１１】
【発明の実施の形態】
以下、図面を参照して本発明の実施の形態を説明する。
【００１２】
図１に示すように、画像処理装置１には、撮像素子２、表示装置３、記憶装置４及び、記録媒体５が接続されている。
【００１３】
画像処理装置１は、撮像素子２から入力した入力画像データＤ１を記録用データＤ２と表示用データＤ３に変換し、記録用データＤ２はＪＰＥＧ方式に基づいて圧縮を行い、圧縮画像データＤ４を記録媒体５に記録する。表示用データＤ３を表示装置３に出力する。
【００１４】
また、再生時には記録媒体５から圧縮画像データＤ４を読み出し、ＪＰＥＧ方式に基づいて伸張を行い、表示用データＤ３に変換し、表示装置３に出力する。
【００１５】
撮像素子２は、ＣＣＤカメラ等より構成し、カラー静止画等の入力画像データＤ１を取り込み、その入力画像データＤ１を画像処理装置１に出力する。
【００１６】
表示装置３は、液晶モニター等より構成し、画像を表示する。記憶装置４は、１画面分の記録用データＤ２を記憶するのに充分な容量のＳＤＲＡＭ等のメモリデバイスで構成する。記録媒体５は、不揮発性メモリカード装置等より構成する。
【００１７】
次に、画像処理装置１の構成を詳述する。
【００１８】
画像処理装置１は、一時記憶手段Ａ１１、画像処理手段１２、一時記憶手段Ｂ１３、一時記憶手段Ｃ１４、符号化手段１５、記録手段１６、及び、調停手段１７により構成されている。調停手段１７は、一時記憶手段Ａ１１、一時記憶手段Ｂ１３、一時記憶手段Ｃ１４、符号化手段１５、及び、記録手段１６の記憶装置４へのアクセスを時分割に調停している。
【００１９】
また一時記憶手段Ｂ１３には平滑化手段Ｒ１８を、一時記憶手段Ｃ１４には平滑化手段Ｍ１９を、符号化手段１５にはＪＰＥＧアルゴリズムに従って圧縮および伸張を行うＪＰＥＧコア２０を有している。
【００２０】
なお、符号化手段１５は、所定の方式（本実施の形態ではJPEG方式）に基づいて画像データの圧縮・伸長を行うためのものである。
【００２１】
画像処理装置１は、撮像素子２から入力した入力画像データＤ１を一時記憶手段Ａ１１によって取り込み、記憶装置４に記憶させる。記憶装置４に記憶させた入力画像データＤ１を一時記憶手段Ａ１１によって読み出し、次に撮像素子２から入力する入力画像データＤ１とともに画像処理手段１２へ出力する。
【００２２】
なお、モニターモードにおいては、撮像素子２から入力した入力画像データＤ１を記憶装置４に記憶させずに画像処理手段１２へ出力する。
【００２３】
画像処理手段１２は、入力した入力画像データＤ１を輝度信号と色差信号に分離して、記録用データＤ２と表示用データＤ３を生成する。記録用データＤ２を一時記憶手段Ｂ、表示用データＤ３を一時記憶手段Ｃによって、１画面分の記録用データＤ２を記憶するのに充分な容量のＳＤＲＡＭ等のメモリデバイスで構成する記憶装置４に記憶させる。記録用データＤ２を符号化手段１５によってＳＲＡＭ等で構成されるラスタブロック変換用メモリ２１でラスター順のデータをブロック順に変換してＪＰＥＧコア２０に出力し、ＪＰＥＧコア２０でＪＰＥＧアルゴリズムに従って圧縮する。
【００２４】
その圧縮した圧縮画像データＤ４を符号化手段１５によって記憶装置４に記憶させ、記録手段１６により不揮発性メモリ装置等よりなる記録媒体５に出力し、記録する。
【００２５】
それと同時に表示用データＤ３は、モニター画像、プレビュー画像として液晶モニター等よりなる表示装置３に出力し、表示装置３は画像を表示する。
【００２６】
また画像処理装置１は、記録手段１６により記録媒体５に記録された圧縮画像データＤ４を読み出して記憶装置４に記憶させ、その圧縮画像データＤ４を符号化手段１５によってJPEGアルゴリズムに従って伸長し、記録用データＤ２として記憶装置４に記憶させる。記憶装置４に格納した記録用データＤ２を一時記憶手段Ａ１１によって読み出し、画像処理手段１２により表示用データＤ３に変換して一時記憶手段Ｃ１４が表示装置３に出力し、表示装置３は画像を復元する。
【００２７】
また、伸張された記録用データＤ２を一時記憶手段Ａ１１によって読み出し、画像処理手段１２により画像サイズや画角を変更して一時記憶手段Ｂによって記憶装置４に記憶させ、符号化手段１５によって圧縮するリサイズ機能と切り出し機能を備える。
【００２８】
なお、記憶装置４への平均データレートを下げるため、ＳＲＡＭ等で構成されるメモリを有する平滑化手段Ｒ１８および平滑化手段Ｍ１９を一時記憶手段Ｂ１３及び一時記憶手段Ｃ１４に用いている。
【００２９】
次に、上記のように構成された画像処理装置１の作用を説明する。
【００３０】
図２は、記憶装置４に４：２：０形式で４００万画素（２２４０×１６８０）の記録用データＤ２を格納する概念図である。
【００３１】
なお、記録用データＤ２の格納位置を上詰めで記載しているが、格納位置は可変である。
【００３２】
記憶装置４の縦軸がＳＤＲＡＭの総ページ数およびページアドレス、横軸が記憶装置４の１回のアクセス単位（ページ）を示す。
【００３３】
１ページは３２Ｂｙｔｅであり、１ライン２２４０画素であるので７０ページ／ラインとなる。
【００３４】
４：２：０形式なので、輝度信号２ラインに対して色差信号１ラインである。
【００３５】
輝度信号はラインの先頭から順に詰めて格納している。また色差信号は、Ｃｂ／Ｃｒが１画素ごとにインターリーブして画像処理手段１２から出力されたものを、それぞれ８画素ごとに分けて格納している。
【００３６】
その詳細を図３に示す。１行が１回のアクセスで読み書きできるデータの集まりを示し、ラインの先頭から順番にＬＳＢから４Ｂｙｔｅずつを格納している。
【００３７】
なお、各手段の出力するページアドレスからＳＤＲＡＭの実際のアドレスへの変換は調停手段１７にて行っている。
【００３８】
本実施例においては、記憶装置４のアクセス単位が３２Ｂｙｔｅであるので、１回の記憶装置４へのアクセスで、１ＭＣＵを構成するのに隣接したＭＣＵのデータも読み出してくる。
【００３９】
画像処理装置１の全体の処理速度を落とさないためには、記憶装置４へのアクセス回数を最小にする必要があるため、読み出したデータは全てラスタブロック変換用メモリ２１に格納する。４：２：０圧縮で１ＭＣＵを構成するには、３２Ｂｙｔｅ×２４回＝７６８Ｂｙｔｅのデータを記憶装置４から読み出す。
【００４０】
ここで隣接したＭＣＵのデータもすべて格納するとラスタブロック変換用メモリ２１には７６８Ｂｙｔｅの容量が必要となるが、図４に示す構成を取る事によりメモリ容量を削減する。
【００４１】
図４は、４：２：０圧縮時の符号化手段におけるラスタブロック変換用メモリ２１の各ＪＰＥＧマクロブロックと格納アドレスの構成を示す。
【００４２】
ここで、輝度マクロブロックＹｎ、Ｙｎ＋１、Ｙｎ＋２、Ｙｎ＋３及び色差マクロブロックＣｂｎ、Ｃｒｎで１ＭＣＵを構成し、輝度マクロブロックＹｎ＋４、Ｙｎ＋５、Ｙｎ＋６、Ｙｎ＋７及び色差マクロブロックＣｂｎ＋１、Ｃｒｎ＋１で隣接する１ＭＣＵを構成する（ｎ＝０,８,１６...）。
【００４３】
記憶装置４より記録用データＤ２の輝度信号を８回分読み出して輝度マクロブロックＹｎ、Ｙｎ＋１、Ｙｎ＋４、Ｙｎ＋５を完成させる。完成した輝度マクロブロックＹｎおよび輝度マクロブロックＹｎ＋１をＪＰＥＧコア２０に入力しつつ、ラスタブロック変換用メモリ２１の空きが４マクロブロック以上あるので、記憶装置４に８回アクセスして記録用データＤ２の輝度信号を８ページ分読み出し、次の輝度マクロブロックＹｎ＋２、Ｙｎ＋３、Ｙｎ＋６、Ｙｎ＋７を完成させる。
【００４４】
次に輝度マクロブロックＹｎ、Ｙｎ＋１をＪＰＥＧコア２０に入力し終えたら、ラスタブロック変換用メモリ２１の空きが４マクロブロック以上できるので、記憶装置４より記録用データＤ２の色差信号を８回分読み出して色差マクロブロックＣｂｎ、Ｃｒｎ、Ｃｂｎ＋１、Ｃｒｎ＋１を完成させる。
【００４５】
▲１▼この間順次ＪＰＥＧコア２０にＹｎ＋２、Ｙｎ＋３、Ｃｂｎ、Ｃｒｎデータを入力し、１ＭＣＵ入力後次のＭＣＵのを輝度マクロブロックＹｎ＋４、Ｙｎ＋５を入力する。
【００４６】
▲２▼輝度マクロブロックＹｎ＋４、Ｙｎ＋５を入力し終えたら、記憶装置４より記録用データＤ２の輝度信号を８回分読み出して次の輝度マクロブロックＹｎ、Ｙｎ＋１、Ｙｎ＋４、Ｙｎ＋５を完成させる。
【００４７】
▲３▼輝度マクロブロックＹｎ＋６、Ｙｎ＋７を入力し終えたら、記憶装置４より記録用データＤ２の輝度信号を８回分読み出して次の輝度マクロブロックＹｎ＋２、Ｙｎ＋３、Ｙｎ＋６、Ｙｎ＋７を完成させる。
【００４８】
▲４▼色差マクロブロックＣｂｎ＋１、Ｃｒｎ＋１を入力し終え、かつ輝度マクロブロックＹｎ、Ｙｎ＋１をＪＰＥＧコア２０に入力し終えたら、記憶装置４より次の色差マクロブロックＣｂｎ、Ｃｒｎ、Ｃｂｎ＋１、Ｃｒｎ＋１を読み出す。
【００４９】
以降▲１▼から▲４▼の繰り返しとなる。各マクロブロックの格納アドレスの遷移は、図４中の６通り。
【００５０】
図５は、４：２：０圧縮時の最初の１ＭＣＵを構成する、輝度マクロブロックＹ０，Ｙ１、Ｙ２、Ｙ３および色差マクロブロックＣｂ０、Ｃｒ０を図３における各画素と対比してラスタブロック変換用メモリ２１に格納した詳細な構成を示す。
【００５１】
図６は、４：２：２圧縮時の符号化手段におけるラスタブロック変換用メモリ２１のＪＰＥＧマクロブロックと格納アドレスの構成を示す。
【００５２】
記憶装置４より記録用データＤ２の輝度信号を８回分読み出して輝度マクロブロックＹｎ、Ｙｎ＋１、Ｙｎ＋２、Ｙｎ＋３を完成させる。
【００５３】
完成した輝度マクロブロックＹｎおよび輝度マクロブロックＹｎ＋１をＪＰＥＧコア２０に入力しつつ、ラスタブロック変換用メモリ２１の空きが４マクロブロック以上あるので、記憶装置４より記録用データＤ２の色差信号を８回分読み出して色差マクロブロックＣｂｎ、Ｃｒｎ、Ｃｂｎ＋１、Ｃｒｎ＋１を完成させる。
【００５４】
▲５▼次に輝度マクロブロックＹｎ、Ｙｎ＋１、色差マクロブロックＣｂｎ、Ｃｒｎ及び輝度マクロブロックＹｎ＋２、Ｙｎ＋３をＪＰＥＧコア２０に入力し終えたら、記憶装置４より記録用データＤ２の輝度信号を８回分読み出して輝度マクロブロックＹｎ、Ｙｎ＋１、Ｙｎ＋２、Ｙｎ＋３を完成させる。
【００５５】
▲６▼次に色差マクロブロックＣｂｎ＋１、Ｃｒｎ＋１をＪＰＥＧコア２０に入力し終えたら、色差マクロブロックＣｂｎ、Ｃｒｎ、Ｃｂｎ＋１、Ｃｒｎ＋１を完成させる。
【００５６】
以降▲５▼から▲６▼の繰り返しとなる。各マクロブロックの格納アドレスの遷移は、図６中の１通り。
【００５７】
以上記述したように、本形態によれば、以下の効果を奏する。
【００５８】
本発明の実施の形態における画像処理装置は、被写体の光学像を光電変換する撮像素子と、各種データを一時的に記憶する記憶装置と、前記撮像素子から出力される画像データを一時的に前記記憶装置に記憶させるための一時記憶手段Ａと、
前記画像データを輝度信号に対応する成分と色差信号に対応する成分に分離する画像処理手段と、前記輝度信号および前記色差信号を記録用として一時的に前記記憶装置に記憶させるための一時記憶手段Ｂと、前記輝度信号および前記色差信号を表示用として一時的に前記記憶装置に記憶させるための一時記憶手段Ｃと、
Ｒｅａｄ／Ｗｒｉｔｅが同時に行うことができるラスタブロック変換用メモリを有し前記輝度信号および前記色差信号に対して符号化処理あるいは復号化処理を行なう符号化手段と、前記符号化手段によって得られた符号化映像デ―タを所定の記録媒体に記録保持させる記録手段と、前記一時記憶手段Ａ、前記一時記憶手段Ｂ、前記一時記憶手段Ｃ、前記符号化手段および前記記録手段の前記記憶装置へのアクセスを調停する調停手段とを有する画像処理装置であって、前記ラスタブロック変換用メモリのアドレス制御をリングバッファとして構成し、前記記憶装置に記憶された輝度信号および色差信号を前記符号化手段で符号化処理を行った後前記記録手段により前記記録媒体に記録する場合、前記符号化手段が前記記憶装置にアクセスして輝度信号もしくは色差信号を読み出す際の１回のアクセス単位(ページ)が、ＪＰＥＧの１ＭＣＵ（Ｍｉｎｉｍｕｍ  Ｃｏｄｅｄ  Ｕｎｉｔ）を構成する水平画素数より多くなるように設定することにより、前記符号化手段がアクセスしたアドレスの１ＭＣＵを構成するに必要なデータを前記記憶装置から読み出す際に該アドレスの１ＭＣＵに隣接するＭＣＵのデータも含めて読み出し、それらの読み出した全てのデータ（イ）を前記ラスタブロック変換用メモリに格納しておき、前記ラスタブロック変換用メモリに格納したデータが符号化処理されることに伴いＭＣＵ単位でメモリに空き領域が生じるが、前記空き領域の合計が前記アクセス単位のデータを格納可能となったときに、前記符号化手段は前記記憶装置から前記データ（イ）の次ぎに続くＭＣＵを構成するデータを含む輝度信号もしくは色差信号の読み出しを行い、それらの読み出した全てのデータを前記ラスタブロック変換用メモリの前記空き領域に格納することを特徴とする。
【００５９】
Read/Writeが同時に行える前記ラスタブロック変換用メモリ２１を使用し、前記ラスタブロック変換用メモリ２１のアドレス制御をリングバッファ状構成とすることで、前記ラスタブロック変換用メモリ２１からブロック順でデータを読み出し終えたアドレスに、前記記憶装置から読み出した次のデータを格納することが出来、メモリ容量を減らすことが可能となる。
【００６０】
また、前記記憶装置から画像データを読み出す際、アクセスしたアドレスの（ＭＣＵを構成するのに必要なデータ以外の余分なデータも含めた）全てのデータを前記ラスタブロック変換用メモリ２１で保持することで、記憶装置へのアクセス頻度を減らし、処理時間の増加を抑えることが可能となる。
【００６１】
尚、本発明は上記形態に限定されるものではなく、以下のように実施してもよい。
（１） 本実施の形態において、平均データレートを下げるため、平滑化手段Ｒ１８および平滑化手段Ｍ１９を用いているが、用いずに構成してもよい。
（２） 本実施の形態において、Ｃｂ／Ｃｒを８画素ごとに分けて記憶装置４に格納しているが、インターリーブのまま格納しても良い。
（３） 本実施の形態において、記録媒体５を光ディスク装置で構成してもよい。
（４） 本実施の形態において、記憶装置４の容量を６４Ｍｂｉｔとしたが、２５６Ｍｂｉｔまでの容量で構成してもよい。
【００６２】
【発明の効果】
以上詳述したように本発明によれば、ラスタブロック変換回路において、処理速度を落とさずにラスタブロック変換用メモリの容量が削減できる画像処理装置を提供することができる。
【図面の簡単な説明】
【図１】実施の形態の画像処理装置１のブロック回路図
【図２】記憶装置４の記録用データＤ２メモリマップ概念図
【図３】記憶装置４の記録用データＤ２のＣｂ／Ｃｒ詳細メモリマップ概念図
【図４】４：２：０圧縮時のＪＰＥＧマクロブロックとラスタブロック変換用メモリ２１の格納アドレスを示す説明図
【図５】４：２：０の１ＭＣＵをラスタブロック変換用メモリ２１に格納した詳細な構成を示す説明図
【図６】４：２：２圧縮時のＪＰＥＧマクロブロックとラスタブロック変換用メモリ２１の格納アドレスを示す説明図
【符号の説明】
１  画像処理装置
２  撮像素子
３  表示装置
４  記憶装置
５  記録媒体
１１  一時記憶手段Ａ
１２  画像処理手段
１３  一時記憶手段Ｂ
１４  一時記憶手段Ｃ
１５  符号化手段
１６  記録手段
１７  調停手段
１８  平滑化手段Ｒ
１９  平滑化手段Ｍ
【図１】
0004122753.tif 000002
【図２】
0004122753.tif 000003
【図３】
0004122753.tif 000004
【図４】
0004122753.tif 000005
【図５】
0004122753.tif 000006
【図６】
0004122753.tif 000007